(57)【要約】【課題】電源収納部の開口部からコードを引き出しても開口部が不意に開いてしまうおそれをなくし、安心して使用できるようにする。【解決手段】携帯用電源バッグ１は、コード２１を介してアダプタ２２を接続したコンバータ２０を収容する電源収納部３を備え、電源収納部３の開口部９を開閉する線ファスナー１０に一対のスライダを設けて当該スライダの間からコード２１を引き出して、スライダに設けた引き手１２，１２同士を連結体１７で連結することで、スライダをコード２１に追従して移動可能としている。【選択図】図１
2013022022.tif 000002
【特許請求の範囲】
【請求項１】
任意に開閉可能な開口部を備える電源収納部と、その電源収納部を携帯可能なベルトとを有し、前記電源収納部に、コードを介してアダプタを接続したバッテリーを収納して、前記開口部を一部を除いて閉塞した状態で、前記一部から前記コードを引き出し可能とした携帯用電源バッグであって、
前記開口部の前記一部を前記コードに追従して移動可能としたことを特徴とする携帯用電源バッグ。
【請求項２】
前記開口部を一対のスライダを備えた線ファスナーで開閉可能として、前記一部を前記一対のスライダの間に形成し、前記一対のスライダを前記コードに追従させて前記一部を移動させることを特徴とする請求項１に記載の携帯用電源バッグ。
【請求項３】
前記一対のスライダにそれぞれ設けた引き手同士を、任意に連結及びその解除が可能な連結手段で連結して、前記一対のスライダを前記コードに追従させることを特徴とする請求項２に記載の携帯用電源バッグ。
【請求項４】
前記電源収納部内に、前記コードの余長分の収納部を形成したことを特徴とする請求項１乃至３の何れかに記載の携帯用電源バッグ。
【請求項５】
前記電源収納部の外部に、前記アダプタの保持部を設けたことを特徴とする請求項１乃至４の何れかに記載の携帯用電源バッグ。
【請求項６】
少なくとも前記電源収納部が、防水性の合成繊維で形成されることを特徴とする請求項１乃至５の何れかに記載の携帯用電源バッグ。
【請求項７】
少なくとも前記電源収納部の内面に防汚加工が施されていることを特徴とする請求項１乃至６の何れかに記載の携帯用電源バッグ。
【請求項８】
前記電源収納部に、予備バッテリーの収納部を形成したことを特徴とする請求項１乃至７の何れかに記載の携帯用電源バッグ。
【請求項９】
前記開口部が、前記電源収納部の上端と左右両端とに連続して形成されることを特徴とする請求項１乃至８の何れかに記載の携帯用電源バッグ。
【請求項１０】
前記ベルトを肩ベルトとして前記電源収納部を背負い式で携帯可能としたことを特徴とする請求項１乃至９の何れかに記載の携帯用電源バッグ。
【請求項１１】
前記肩ベルトにポケットを設けたことを特徴とする請求項１０に記載の携帯用電源バッグ。
【発明の詳細な説明】
【技術分野】
【０００１】
本発明は、充電式電動工具用のバッテリーを収容して携帯可能とした携帯用電源バッグに関する。
【背景技術】
【０００２】
充電式電動工具は、重量の大きいバッテリーを装着したまま使用するため、長時間の作業では作業者の負担が大きくなる。そこで、特許文献１に開示のように、バッテリーを背負い式の携帯用電源として、バッテリーに接続したアダプタを電動工具本体に接続すれば、手許での負担が小さくなる。この場合、線ファスナーによって開口部を開閉できる電源収納部を有した携帯用電源バッグを利用すれば、予備のバッテリーも携帯できるし、２つのバッテリーを収容して高電圧を取り出すコンバータも電源として使用できる。
【先行技術文献】
【特許文献】
【０００３】
【特許文献１】実開平４−１０１３５７号公報
【発明の概要】
【発明が解決しようとする課題】
【０００４】
携帯用電源バッグを利用すると、電源収納部の開口部の一部からコードを引き出して線ファスナーで残りの開口部を閉じることになるが、作業中にコードが移動すると、それに連れて線ファスナーが移動して開口部が開いてしまい、バッテリーが落下するおそれが生じる。
【０００５】
そこで、本発明は、電源収納部の開口部からコードを引き出しても開口部が不意に開いてしまうおそれがなく、安心して使用できる携帯用電源バッグを提供することを目的としたものである。
【課題を解決するための手段】
【０００６】
上記目的を達成するために、請求項１に記載の発明は、任意に開閉可能な開口部を備える電源収納部と、その電源収納部を携帯可能なベルトとを有し、電源収納部に、コードを介してアダプタを接続したバッテリーを収納して、開口部を一部を除いて閉塞した状態で、開口部の当該一部からコードを引き出し可能とした携帯用電源バッグであって、開口部の当該一部をコードに追従して移動可能としたことを特徴とするものである。
請求項２に記載の発明は、請求項１の構成において、開口部を一対のスライダを備えた線ファスナーで開閉可能として、当該一部を一対のスライダの間に形成し、一対のスライダをコードに追従させて当該一部を移動させることを特徴とするものである。
請求項３に記載の発明は、請求項２の構成において、一対のスライダにそれぞれ設けた引き手同士を、任意に連結及びその解除が可能な連結手段で連結して、一対のスライダをコードに追従させることを特徴とするものである。
請求項４に記載の発明は、請求項１乃至３の何れかの構成において、電源収納部内に、コードの余長分の収納部を形成したことを特徴とするものである。
請求項５に記載の発明は、請求項１乃至４の何れかの構成において、電源収納部の外部に、アダプタの保持部を設けたことを特徴とするものである。
請求項６に記載の発明は、請求項１乃至５の何れかの構成において、少なくとも電源収納部が、防水性の合成繊維で形成されることを特徴とするものである。
請求項７に記載の発明は、請求項１乃至６の何れかの構成において、少なくとも電源収納部の内面に防汚加工が施されていることを特徴とするものである。
請求項８に記載の発明は、請求項１乃至７の何れかの構成において、電源収納部に、予備バッテリーの収納部を形成したことを特徴とするものである。
請求項９に記載の発明は、請求項１乃至８の何れかの構成において、開口部が、電源収納部の上端と左右両端とに連続して形成されることを特徴とするものである。
請求項１０に記載の発明は、請求項１乃至９の何れかの構成において、ベルトを肩ベルトとして電源収納部を背負い式で携帯可能としたことを特徴とするものである。
請求項１１に記載の発明は、請求項１０の構成において、肩ベルトにポケットを設けたことを特徴とするものである。
【発明の効果】
【０００７】
請求項１に記載の発明によれば、電源収納部からコードを引き出しても開口部が不意に開いてしまうおそれがなく、安心して使用できる。
請求項２に記載の発明によれば、請求項１の効果に加えて、線ファスナーのスライダを利用して開口部の当該一部の形成とコードへの追従が簡単に行える。
請求項３に記載の発明によれば、請求項２の効果に加えて、連結手段の採用により、コードへのスライダの追従が簡単且つ確実に行える。
請求項４に記載の発明によれば、請求項１乃至３の何れかの効果に加えて、コードを必要分だけ電源収納部から引き出して使用でき、余ったコードが邪魔になったりするおそれがない。
請求項５に記載の発明によれば、請求項１乃至４の何れかの効果に加えて、充電式電動工具へ装着する前のアダプタを一時置きでき、使い勝手が向上する。
請求項６に記載の発明によれば、請求項１乃至５の何れかの効果に加えて、雨水等の浸入によるバッテリーの不具合の発生を防止できる。
請求項７に記載の発明によれば、請求項１乃至６の何れかの効果に加えて、防汚加工によって電源収納部の汚れや劣化が抑えられ、耐久性が良好となる。
請求項８に記載の発明によれば、請求項１乃至７の何れかの効果に加えて、予備バッテリーによって長時間の作業も可能となって使い勝手に優れる。
請求項９に記載の発明によれば、請求項１乃至８の何れかの効果に加えて、コードの引き出し位置の選択範囲が大きくなり、より作業しやすい位置でのコードの引き回しが可能となる。
請求項１０に記載の発明によれば、請求項１乃至９の何れかの効果に加えて、重量の大きいバッテリー等も楽に携帯可能となる。
請求項１１に記載の発明によれば、請求項１０の効果に加えて、小物の収納が可能となって使い勝手に優れる。
【図面の簡単な説明】
【０００８】
【図１】携帯用電源バッグの背面図である。
【図２】コード引き出し部分の拡大図である。
【図３】携帯用電源バッグの側面図である。
【図４】携帯用電源バッグの正面図である。
【図５】携帯用電源バッグの使用状態を示す説明図である。
【発明を実施するための形態】
【０００９】
以下、本発明の実施の形態を図面に基づいて説明する。
図１は、携帯用電源バッグの一例を示す背面図で、携帯用電源バッグ１は、正面視が矩形状の背板２の背面下部に、電源収納部３を、その上部にアダプタ保持部４をそれぞれ設けてなる。背板２の前側には、左右一対の肩ベルト５，５が設けられて、肩ベルト５の一方の前面には、図３，４に示すように携帯電話等の小物を収納できるポケット６が設けられている。７，７・・は背板２の前面に設けたクッションで、背板２の上端には、取手部８が設けられている。
【００１０】
電源収納部３は、フッ素系樹脂の付着によって防水性及び防汚性が付与された合成繊維（ここではナイロンオックス）によって縫製された四角箱状で、後面の上端縁と左右の両端縁との三辺が連続する逆Ｕ字状の開口部９を形成している。この開口部９には、図２にも示すように線ファスナー１０が設けられて、開口部９が任意に開閉可能となっている。線ファスナー１０には、引き手１２を備えたスライダ１１が一対設けられて、開口部９を任意の箇所から開放可能としている。また、電源収納部３内の上部には、前面が線ファスナーによって開閉可能な中収納部１３が設けられている。
一方、アダプタ保持部４には、左右に所定間隔をおいて配されて上下端が背板２に結合される一対のラダーロック付きのバンド１４，１４が設けられている。
【００１１】
この電源収納部３内の下部には、２つのバッテリーパックを収容して昇圧した直流電源を供給するコンバータ２０が収納される。このコンバータ２０には、コード２１を介してアダプタ２２が接続されている。アダプタ２２は、充電式電動工具に装着されるバッテリーパックと同じ装着面を備えて充電式電動工具へ電気的接続可能となっている。
ここではコード２１の余長分を中収納部１３の後方に形成される収納空間１５内に収納した後、線ファスナー１０において２つのスライダ１１，１１の間に形成される線ファスナー１０の非結合空間１６から外部へ引き出している。両スライダ１１，１１の引き手１２，１２は、連結手段としての連結体１７によって互いに結合されている。この連結体１７は、両端を貫通させて係止する固定具１７ａによってループ状に形成される紐状体で、固定具１７ａの位置の変更により、長さ（ループの大きさ）の調整が可能となっている。固定具１７ａから一方の端部を抜き取れば、引き手１２から取り外すことができる。
また、中収納部１３内には、予備となる２つのバッテリーパック２３，２３が収納可能となっている。
【００１２】
以上の如く構成された携帯用電源バッグ１においては、図１，２のように電源収納部３にコンバータ２０を収容してコード２１を開口部９の上端中央から引き出し、コード２１に隣接させたスライダ１１，１１の引き手１２，１２を連結体１７で連結する。ここでアダプタ２２を充電式電動工具に装着する前は、アダプタ保持部４において、アダプタ２２を２つのゴムバンド１４，１４の内側に挿入することで一時置きできる。なお、コード２１の引き出し位置（非結合空間１６）は、連結体１７を把持して両スライダ１１，１１を同時に移動させることで容易に変更できる。
【００１３】
そして、携帯用電源バッグ１を用いて作業を行う場合は、図５に示すように、肩ベルト５，５によって携帯用電源バッグ１を背負い、アダプタ２２を充電式電動工具２４に装着する。すると、充電式電動工具２４は、アダプタ２２を介してコンバータ２０から電源を得ることができる。このとき、重量の大きいコンバータ２０は背中で支持されるため、手許での負担が少なく、長時間作業を行っても疲れにくくなる。
【００１４】
このとき、作業中の充電式電動工具２４の動きによってコード２１が左右へ移動すると、コード２１が一方のスライダ１１に当接して当該スライダ１１を移動させて開口部９を開けさせる。しかし、他方のスライダ１１は連結体１７で連結されているので、他方のスライダ１１も追従して移動し、コード２１の移動によって開いた開口部９を追いかけて閉じることになる。つまり、コード２１が移動しても、これに追従するスライダ１１，１１によって非結合空間１６もコード２１に追従して移動するため、常にコード２１の両側で開口部９の閉じた状態が維持されるのである。
【００１５】
このように、上記形態の携帯用電源バッグ１によれば、開口部９の一部となる非結合空間１６をコード２１に追従して移動可能としたことで、電源収納部３からコード２１を引き出しても開口部９が不意に開いてしまうおそれがなく、安心して使用できる。
特にここでは、開口部９を一対のスライダ１１，１１を備えた線ファスナー１０で開閉可能として、非結合空間１６を一対のスライダ１１，１１の間に形成し、一対のスライダ１１，１１をコード２１に追従させて非結合空間１６を移動させるようにしているので、線ファスナー１０のスライダ１１を利用して非結合空間１６の形成とコード２１への追従が簡単に行える。
また、一対のスライダ１１，１１にそれぞれ設けた引き手１２同士を、任意に連結及びその解除が可能な連結体１７で連結して、一対のスライダ１１，１１をコード２１に追従させるようにしているので、コード２１へのスライダ１１の追従が簡単且つ確実に行える。
【００１６】
一方、電源収納部３内に、コード２１の余長分の収納空間１５を形成したことで、コード２１を必要分だけ電源収納部３から引き出して使用でき、余ったコード２１が邪魔になったりするおそれがない。
また、電源収納部３の外部に、アダプタ保持部４を設けているので、充電式電動工具２４へ装着する前のアダプタ２２を一時置きでき、使い勝手が向上する。
さらに、電源収納部３が、防水性の合成繊維で形成されているので、雨水等の浸入によるコンバータ２０やバッテリーパック２３の不具合の発生を防止できる。加えて電源収納部３の内面に防汚加工が施されているため、電源収納部３の汚れや劣化が抑えられ、耐久性が良好となる。
【００１７】
そして、電源収納部３に、予備のバッテリーパック２３を収納する中収納部１３が形成されているので、長時間の作業も可能となって使い勝手に優れる。
また、開口部９が、電源収納部３の上端と左右両端とに連続して形成されることで、コード２１の引き出し位置の選択範囲が大きくなり、より作業しやすい位置でのコード２１の引き回しが可能となる。
さらに、ベルトを肩ベルト５として電源収納部３を背負い式で携帯可能としたことで、重量の大きいコンバータ２０等も楽に携帯可能となる。
加えて、肩ベルト５にポケット６を設けているので、小物の収納が可能となって使い勝手に優れる。
【００１８】
なお、上記形態では、連結手段として、引き手同士を連結する紐状の連結体を採用しているが、これに限らず、カラビナ、ワイヤーやチェーン、リングやＳ字フック等の他の連結体を採用してもよいし、引き手同士を直接結合したり、スライダをコードに直接連結したりしてもよい。開口部自体の構成も、逆Ｕ字状に限らず、上面のみや側面のみ等であっても差し支えない。
また、予備バッテリーの収納部や余長コードの収納部の位置や形態も適宜変更可能で、例えば余長コードの収納部を収納空間でなくポケット構造にしたりすることができる。勿論これらの収納部を省略することもできる。
さらに、アダプタ保持部の形態も、電源収納部の上面側でなく、側面側へポケット状に設けたりしてもよいし、省略してもよい。
【００１９】
一方、防水性の合成繊維は、電源収納部に限らず、ベルト等の他の構成部において使用してもよい。防汚加工も同様である。
その他、肩ベルトのみによる携帯に限らず、腰ベルトも併せて設けたり、腰ベルトのみとして電源収納部を腰から吊り下げ携帯させたりする構造も考えられる。ポケットも腰ベルトに設けたり、電源収納部の側面に設けたりしても差し支えない。
そして、上記形態ではバッテリーとしてコンバータを例に挙げているが、アダプタを接続した単体のバッテリーパックを電源収納部に収納する場合でも本発明は適用可能である。
【符号の説明】
【００２０】
１・・携帯用電源バッグ、２・・背板、３・・電源収納部、４・・アダプタ保持部、５・・肩ベルト、６・・ポケット、９・・開口部、１０・・線ファスナー、１１・・スライダ、１２・・引き手、１３・・中収納部、１４・・ゴムバンド、１５・・収納空間、１６・・非結合空間、１７・・連結体、２０・・コンバータ、２１・・コード、２２・・アダプタ、２３・・バッテリーパック、２４・・充電式電動工具。
【図１】
2013022022.tif 000003
【図２】
2013022022.tif 000004
【図３】
2013022022.tif 000005
【図４】
2013022022.tif 000006
【図５】
2013022022.tif 000007